(57)【要約】【課題】携帯端末装置に画像処理装置の操作画面を表示して、携帯端末装置から画像処理装置を無線通信により遠隔操作する画像処理システムにおいて、携帯端末装置と画像処理装置との無線通信が途切れた場合に、携帯端末装置のユーザーの操作性、セキュリティの確保、第三者の利便性の観点から、最適な処理を行う画像処理システム等を提供する。【解決手段】画像処理装置は携帯端末装置との距離を測定し、携帯端末装置との無線通信が切断されたときに、前記距離と、予め設定された第１の距離及び予め設定された、第１の距離より小さい第２の距離とを比較し、携帯端末装置との距離が第２の距離以下である場合、携帯端末装置の表示手段に表示されていた操作画面を、距離が第２の距離を超え第１の距離以下である場合は携帯端末装置のユーザーのみログイン可能な制限ログイン画面を、距離が第１の距離を超える場合は一般ログイン画面を表示手段１３４に表示する。【選択図】  図２５
2015060410.tif 000002
【特許請求の範囲】
【請求項１】
無線通信可能な画像処理装置と携帯端末装置とを備えた画像処理システムであって、
前記画像処理装置は、
自装置を操作するための操作画面を表示可能な表示手段と、
前記操作画面を前記携帯端末装置に表示させるための操作画面表示用データを携帯端末装置に送信する送信手段と、
を備え、
前記携帯端末装置は、
前記画像処理装置からの操作画面表示用データを受信する受信手段と、
表示手段と、
前記受信手段により受信した操作画面表示用データに基づいて画像処理装置の操作画面をリモート画面として前記表示手段に表示する表示制御手段と、
前記表示手段に表示された前記画像処理装置のリモート画面に対してユーザーが操作を行ったときの操作情報を前記画像処理装置に送信する送信手段と、
を備え、
前記画像処理装置はさらに、
前記携帯端末装置との距離を測定する距離測定手段と、
前記携帯端末装置との前記無線通信が切断されたときに、前記距離測定手段で測定された携帯端末装置との距離と、前記携帯端末装置のユーザーが画像処理装置を継続操作可能な距離として予め設定された第１の距離、及び携帯端末装置のユーザーが画像処理装置を直ちに操作可能な距離として予め設定された、前記第１の距離より小さい第２の距離とを比較する距離比較手段と、
前記距離比較手段により、前記携帯端末装置との距離が前記第２の距離以下であると判定された場合は、前記携帯端末装置の表示手段に表示されていた操作画面を、前記携帯端末装置との距離が前記第２の距離を超え前記第１の距離以下であると判定された場合は、前記携帯端末装置のユーザーのみログイン可能な制限ログイン画面を、前記携帯端末装置との距離が前記第１の距離を超えると判定された場合は、全てのユーザーがログイン可能な一般ログイン画面を、それぞれ自装置の前記表示手段に表示する表示制御手段と、
を備えたことを特徴とする画像処理システム。
【請求項２】
前記画像処理装置は、前記距離測定手段により測定された携帯端末装置との距離に応じた継続操作待ち時間を設定する設定手段を備え、
前記設定手段で設定された継続操作待ち時間内に、前記携帯端末装置のユーザーによる画像処理装置の継続操作または携帯端末装置からの再接続がなされなかった場合は、前記画像処理装置の表示制御手段は、前記表示手段に表示された操作画面または制限ログイン画面を一般ログイン画面に切り替える請求項１に記載の画像処理システム。
【請求項３】
前記距離比較手段により、前記携帯端末装置との距離が前記第２の距離以下であると判定され、前記携帯端末装置の表示手段に表示されていた操作画面が、画像処理装置の表示手段に表示された状態で、前記携帯端末装置と画像処理装置が再接続されたときは、前記画像処理装置の送信手段は、前記表示手段に表示されていた操作画面を前記携帯端末装置に再度表示させるための操作画面表示用データを携帯端末装置に送信し、前記画像処理装置の表示制御手段は、携帯端末装置と接続中であることを示す画面を前記表示手段に表示する請求項１または２に記載の画像処理システム。
【請求項４】
前記距離比較手段により、前記携帯端末装置との距離が前記第２の距離を超え前記第１の距離以下であると判定され、前記携帯端末装置のユーザーのみログイン可能な制限ログイン画面が画像処理装置の表示手段に表示された状態で、前記携帯端末装置と画像処理装置が再接続されたときは、前記画像処理装置の送信手段は、前記携帯端末装置との通信切断の際に携帯端末装置に表示されていた操作画面を前記携帯端末装置に再度表示させるための操作画面表示用データを携帯端末装置に送信し、前記画像処理装置の表示制御手段は、携帯端末装置と接続中であることを示す画面を前記表示手段に表示する請求項１または２に記載の画像処理システム。
【請求項５】
前記距離比較手段により、前記携帯端末装置との距離が前記第１の距離を超えると判定され、全てのユーザーがログイン可能な一般ログイン画面が画像処理装置の表示手段に表示された状態で、前記携帯端末装置と画像処理装置が再接続されたときは、前記画像処理装置の送信手段は、前記携帯端末装置との通信切断の際に携帯端末装置に再度表示されていた操作画面を前記携帯端末装置に表示させるための操作画面表示用データを携帯端末装置に送信し、前記画像処理装置の表示制御手段は、携帯端末装置と接続中であることを示す画面を前記表示手段に表示する請求項１または２に記載の画像処理システム。
【請求項６】
前記画像処理装置は、前記携帯端末装置と接続中に他の１個または複数個の携帯端末装置から接続要求があったときに、前記他の携帯端末装置に順番待ちをさせるとともに、前記距離比較手段により、前記携帯端末装置との距離が前記第１の距離を超えると判定された場合は、ログインしていた前記携帯端末装置のログイン状態を解除し、順番待ち１番目の携帯端末装置のユーザーに画像処理装置の使用権を譲渡する請求項１〜５のいずれかに記載の画像処理システム。
【請求項７】
前記画像処理装置は前記携帯端末装置が移動しているかどうかを判定する移動判定手段を備え、
前記ログインしていた携帯端末が移動していると判定された場合は、前記画像処理装置は一定の有効戻り時間を設定し、該有効戻り時間内に前記携帯端末装置が再接続されなかった場合は、ログインしていた前記携帯端末装置のログイン状態を解除し、順番待ち１番目の携帯端末装置のユーザーに画像処理装置の使用権を譲渡する請求項６に記載の画像処理システム。
【請求項８】
携帯端末装置と無線通信可能な画像処理装置であって、
自装置を操作するための操作画面を表示可能な表示手段と、
前記操作画面を前記携帯端末装置に表示させるための操作画面表示用データを携帯端末装置に送信する送信手段と、
前記操作画面表示用データに基づいて携帯端末装置にリモート画面として表示された画像処理装置の操作画面に対してユーザーが操作を行ったときの操作情報を前記携帯端末装置から受信する受信手段と、
前記携帯端末装置との距離を測定する距離測定手段と、
前記携帯端末装置との前記無線通信が切断されたときに、前記距離測定手段で測定された携帯端末装置との距離と、前記携帯端末装置のユーザーが画像処理装置を継続操作可能な距離として予め設定された第１の距離、及び携帯端末装置のユーザーが画像処理装置を直ちに操作可能な距離として予め設定された、前記第１の距離より小さい第２の距離とを比較する距離比較手段と、
前記距離比較手段により、前記携帯端末装置との距離が前記第２の距離以下であると判定された場合は、前記携帯端末装置の表示手段に表示されていた操作画面を、前記携帯端末装置との距離が前記第２の距離を超え前記第１の距離以下であると判定された場合は、前記携帯端末装置のユーザーのみログイン可能な制限ログイン画面を、前記携帯端末装置との距離が前記第１の距離を超えると判定された場合は、全てのユーザーがログイン可能な一般ログイン画面を、それぞれ前記表示手段に表示する表示制御手段と、
を備えたことを特徴とする画像処理装置。
【請求項９】
前記距離測定手段により測定された携帯端末装置との距離に比例した継続操作待ち時間を設定する設定手段を備え、
前記設定手段で設定された継続操作待ち時間内に、前記携帯端末装置のユーザーによる画像処理装置の継続操作または携帯端末装置からの再接続がなされなかった場合は、前記表示制御手段は、前記表示手段に表示された操作画面または制限ログイン画面を一般ログイン画面に切り替える請求項８に記載の画像処理装置。
【請求項１０】
前記距離比較手段により、前記携帯端末装置との距離が前記第２の距離以下であると判定され、前記携帯端末装置の表示手段に表示されていた操作画面が、前記表示手段に表示された状態で、前記携帯端末装置が再接続されたときは、前記送信手段は、前記表示手段に表示されていた操作画面を前記携帯端末装置に再度表示させるための操作画面表示用データを携帯端末装置に送信し、前記表示制御手段は、携帯端末装置と接続中であることを示す画面を前記表示手段に表示する請求項８または９に記載の画像処理装置。
【請求項１１】
前記距離比較手段により、前記携帯端末装置との距離が前記第２の距離を超え前記第１の距離以下であると判定され、前記携帯端末装置のユーザーのみログイン可能な制限ログイン画面が前記表示手段に表示された状態で、前記携帯端末装置と再接続されたときは、前記送信手段は、前記携帯端末装置との通信切断の際に携帯端末装置に表示されていた操作画面を前記携帯端末装置に再度表示させるための操作画面表示用データを携帯端末装置に送信し、前記表示制御手段は、携帯端末装置と接続中であることを示す画面を前記表示手段に表示する請求項８または９に記載の画像処理装置。
【請求項１２】
前記距離比較手段により、前記携帯端末装置との距離が前記第１の距離を超えると判定され、全てのユーザーがログイン可能な一般ログイン画面が前記表示手段に表示された状態で、前記携帯端末装置が再接続されたときは、前記送信手段は、前記携帯端末装置との通信切断の際に携帯端末装置に表示されていた操作画面を前記携帯端末装置に再度表示させるための操作画面表示用データを携帯端末装置に送信し、前記表示制御手段は、携帯端末装置と接続中であることを示す画面を前記表示手段に表示する請求項８または９に記載の画像処理装置。
【請求項１３】
前記携帯端末装置と接続中に他の１個または複数個の携帯端末装置から接続要求があったときに、前記他の携帯端末装置に順番待ちをさせるとともに、前記距離比較手段により、前記携帯端末装置との距離が前記第１の距離を超えると判定された場合は、ログインしていた前記携帯端末装置のログイン状態を解除し、順番待ち１番目の携帯端末装置のユーザーに自装置の使用権を譲渡する請求項８〜１２のいずれかに記載の画像処理装置。
【請求項１４】
前記携帯端末装置が移動しているかどうかを判定する移動判定手段を備え、
前記ログインしていた携帯端末が移動していると判定された場合は、一定の有効戻り時間を設定し、該有効戻り時間内に前記携帯端末装置が再接続されなかった場合は、ログインしていた前記携帯端末装置のログイン状態を解除し、順番待ち１番目の携帯端末装置のユーザーに自装置の使用権を譲渡する請求項１３に記載の画像処理装置。
【請求項１５】
携帯端末装置と無線通信可能な画像処理装置のコンピュータに、
自装置を操作するための操作画面を表示手段に表示させる表示ステップと、
前記操作画面を前記携帯端末装置に表示させるための操作画面表示用データを携帯端末装置に送信する送信ステップと、
前記操作画面表示用データに基づいて携帯端末装置にリモート画面として表示された画像処理装置の操作画面に対してユーザーが操作を行ったときの操作情報を前記携帯端末装置から受信する受信ステップと、
前記携帯端末装置との距離を測定する距離測定ステップと、
前記携帯端末装置との前記無線通信が切断されたときに、前記距離測定ステップにおいて測定された携帯端末装置との距離と、前記携帯端末装置のユーザーが画像処理装置を継続操作可能な距離として予め設定された第１の距離、及び携帯端末装置のユーザーが画像処理装置を直ちに操作可能な距離として予め設定された、前記第１の距離より小さい第２の距離とを比較する距離比較ステップと、
前記距離比較ステップにおいて、前記携帯端末装置との距離が前記第２の距離以下であると判定された場合は、前記携帯端末装置の表示手段に表示されていた操作画面を、前記携帯端末装置との距離が前記第２の距離を超え前記第１の距離以下であると判定された場合は、前記携帯端末装置のユーザーのみログイン可能な制限ログイン画面を、前記携帯端末装置との距離が前記第１の距離を超えると判定された場合は、全てのユーザーがログイン可能な一般ログイン画面を、それぞれ前記表示手段に表示する表示制御ステップと、
を実行させるための携帯端末装置の接続制御プログラム。
【発明の詳細な説明】
【技術分野】
【０００１】
この発明は、多機能デジタル複合機であるＭＦＰ（Multi Function Peripherals）等の画像処理装置と、該画像処理装置を遠隔操作可能なスマートフォン、タブレット端末等の携帯端末装置とを備えた画像処理システム、画像処理装置及び携帯端末装置の接続制御プログラムに関する。
【背景技術】
【０００２】
近年、スマートフォン、タブレット端末等の携帯端末装置は、電子化された文書を記憶可能であり、時と場所を選ばず、文書を閲覧したり編集したりできる。また、携帯端末装置で編集等したファイルを前記ＭＦＰ等の画像処理装置に送信し、画像処理装置で印刷または保存等の処理を実行させることができる。さらに、画像処理装置のスキャナ部で読み取った原稿の画像データ等からなるファイルを携帯端末装置に送信し、携帯端末装置で編集等を行うこともできる。
【０００３】
しかし、携帯端末装置と画像処理装置とを、それぞれ別個に操作する必要があり、操作が煩雑になるといった問題がある。
【０００４】
そこで、最近、画像処理装置の機能を使用するための画像処理装置側の操作画面を、画像処理装置と無線接続された携帯端末装置の表示部にリモート画面として表示し、携帯端末装置から画像処理装置を連携操作できるようにした、画像処理装置と携帯端末装置との連携システムが提案されている。このシステムでは、携帯端末装置の表示部に表示される画像処理装置側のリモート画面は、画像処理装置から送信される画面データに基づいて表示される。
【０００５】
つまり、リモート画面に対して操作が行われたことを示す情報が携帯端末装置から画像処理装置に送信され、画像処理装置はこの情報に基づいて次の画面データを作成し、この画面データを携帯端末装置に送信し、携帯端末装置はこの画面データに基づいてリモート画面を更新表示する。
【０００６】
しかし、このようなシステムにおいて、ユーザーが携帯端末装置により画像処理装置を操作中に、携帯端末装置と画像処理装置との無線通信が途切れた場合、後述するような問題点があった。
【０００７】
なお、特許文献１には、 ＬＡＮ上の機器から所定の情報を入手して、該情報に基づいた情報を表示するネットワーク表示機能を含む複数の機能を実現可能な複写機において、操作画面を介した入力を受け付け、各機能に関連する表示画面を表示する操作部を備え、操作部を介した入力操作が所定期間に亘って実行されなかったときは、所定の機能の設定値をリセットして初期値にするとともに、所定の機能に関連する操作画面を操作部に表示させる技術が開示されている。
【０００８】
また、特許文献２には、ユーザ認証状態の終了が指示された後、所定期間の間に入力手段により認証コードが入力された場合には、記憶手段に記憶されている認証コードとの比較に基づいて、ユーザ認証状態に設定する技術が開示されている。
【先行技術文献】
【特許文献】
【０００９】
【特許文献１】特開２００５−１８５６３号公報
【特許文献２】特開２０１０−３３３２５号公報
【発明の概要】
【発明が解決しようとする課題】
【００１０】
即ち、ユーザーが携帯端末装置により画像処理装置を操作中に、携帯端末装置と画像処理装置との無線通信が途切れると、再度接続しようとしても、障害物が存在している場合や携帯端末装置と画像処理装置との距離が大きい場合などには、無線通信を復活できない場合がある。このような場合でも、操作性の観点から、画像処理装置側の操作パネルを用いて引き続き操作ができるようにすることが考えられる。
【００１１】
しかし、画像処理装置と携帯端末装置との距離が大きい状態で両者の無線通信が途切れた場合、無線通信が途切れてすぐに画像処理装置の操作パネルに操作画面が表示されると、ユーザーが画像処理装置に到達するまでにユーザー以外の第三者が画像処理装置を使用できる危険性があり、セキュリティ上問題がある。
【００１２】
この場合、セキュリティを確保するため、画像処理装置の操作パネルに、操作画面ではなく認証画面を表示し、携帯端末装置のユーザーの認証待ち状態にすると、画像処理装置の使用待ちの別のユーザーがいる場合、画像処理装置のユーザーが画像処理装置に到達するまで使用待ちのユーザーは画像処理装置を使用できないという問題がある。
【００１３】
一方、画像処理装置のユーザーが画像処理装置に到達するまでの間、使用待ちユーザーの使用を許可すると、携帯端末装置のユーザーが画像処理装置に到達しても使用待ちユーザーが使用中のため、携帯端末装置のユーザーは継続操作を行うことができないという状況が発生し、やはり問題となる。
【００１４】
このような問題に対して、前記特許文献１及び２に記載の技術は、解決策を提供するものではなかった。
【００１５】
この発明はこのような技術的背景に鑑みてなされたものであって、携帯端末装置に画像処理装置の操作画面であるリモート画面を表示して、携帯端末装置から画像処理装置を無線通信により遠隔操作する画像処理システムにおいて、携帯端末装置と画像処理装置との無線通信が途切れた場合に、携帯端末装置のユーザーの操作性、セキュリティの確保、第三者の利便性の観点から、最適な処理を行うことができる画像処理システム及び画像処理装置を提供し、さらには携帯端末装置の接続制御プログラムを提供することを課題とする。
【課題を解決するための手段】
【００１６】
上記課題は、以下の手段によって解決される。
（１）無線通信可能な画像処理装置と携帯端末装置とを備えた画像処理システムであって、前記画像処理装置は、自装置を操作するための操作画面を表示可能な表示手段と、前記操作画面を前記携帯端末装置に表示させるための操作画面表示用データを携帯端末装置に送信する送信手段と、を備え、前記携帯端末装置は、前記画像処理装置からの操作画面表示用データを受信する受信手段と、表示手段と、前記受信手段により受信した操作画面表示用データに基づいて画像処理装置の操作画面をリモート画面として前記表示手段に表示する表示制御手段と、前記表示手段に表示された前記画像処理装置のリモート画面に対してユーザーが操作を行ったときの操作情報を前記画像処理装置に送信する送信手段と、を備え、前記画像処理装置はさらに、前記携帯端末装置との距離を測定する距離測定手段と、前記携帯端末装置との前記無線通信が切断されたときに、前記距離測定手段で測定された携帯端末装置との距離と、前記携帯端末装置のユーザーが画像処理装置を継続操作可能な距離として予め設定された第１の距離、及び携帯端末装置のユーザーが画像処理装置を直ちに操作可能な距離として予め設定された、前記第１の距離より小さい第２の距離とを比較する距離比較手段と、前記距離比較手段により、前記携帯端末装置との距離が前記第２の距離以下であると判定された場合は、前記携帯端末装置の表示手段に表示されていた操作画面を、前記携帯端末装置との距離が前記第２の距離を超え前記第１の距離以下であると判定された場合は、前記携帯端末装置のユーザーのみログイン可能な制限ログイン画面を、前記携帯端末装置との距離が前記第１の距離を超えると判定された場合は、全てのユーザーがログイン可能な一般ログイン画面を、それぞれ自装置の前記表示手段に表示する表示制御手段と、を備えたことを特徴とする画像処理システム。
（２）前記画像処理装置は、前記距離測定手段により測定された携帯端末装置との距離に応じた継続操作待ち時間を設定する設定手段を備え、前記設定手段で設定された継続操作待ち時間内に、前記携帯端末装置のユーザーによる画像処理装置の継続操作または携帯端末装置からの再接続がなされなかった場合は、前記画像処理装置の表示制御手段は、前記表示手段に表示された操作画面または制限ログイン画面を一般ログイン画面に切り替える前項１に記載の画像処理システム。
（３）前記距離比較手段により、前記携帯端末装置との距離が前記第２の距離以下であると判定され、前記携帯端末装置の表示手段に表示されていた操作画面が、画像処理装置の表示手段に表示された状態で、前記携帯端末装置と画像処理装置が再接続されたときは、前記画像処理装置の送信手段は、前記表示手段に表示されていた操作画面を前記携帯端末装置に再度表示させるための操作画面表示用データを携帯端末装置に送信し、前記画像処理装置の表示制御手段は、携帯端末装置と接続中であることを示す画面を前記表示手段に表示する前項１または２に記載の画像処理システム。
（４）前記距離比較手段により、前記携帯端末装置との距離が前記第２の距離を超え前記第１の距離以下であると判定され、前記携帯端末装置のユーザーのみログイン可能な制限ログイン画面が画像処理装置の表示手段に表示された状態で、前記携帯端末装置と画像処理装置が再接続されたときは、前記画像処理装置の送信手段は、前記携帯端末装置との通信切断の際に携帯端末装置に表示されていた操作画面を前記携帯端末装置に再度表示させるための操作画面表示用データを携帯端末装置に送信し、前記画像処理装置の表示制御手段は、携帯端末装置と接続中であることを示す画面を前記表示手段に表示する前項１または２に記載の画像処理システム。
（５）前記距離比較手段により、前記携帯端末装置との距離が前記第１の距離を超えると判定され、全てのユーザーがログイン可能な一般ログイン画面が画像処理装置の表示手段に表示された状態で、前記携帯端末装置と画像処理装置が再接続されたときは、前記画像処理装置の送信手段は、前記携帯端末装置との通信切断の際に携帯端末装置に再度表示されていた操作画面を前記携帯端末装置に表示させるための操作画面表示用データを携帯端末装置に送信し、前記画像処理装置の表示制御手段は、携帯端末装置と接続中であることを示す画面を前記表示手段に表示する前項１または２に記載の画像処理システム。
（６）前記画像処理装置は、前記携帯端末装置と接続中に他の１個または複数個の携帯端末装置から接続要求があったときに、前記他の携帯端末装置に順番待ちをさせるとともに、前記距離比較手段により、前記携帯端末装置との距離が前記第１の距離を超えると判定された場合は、ログインしていた前記携帯端末装置のログイン状態を解除し、順番待ち１番目の携帯端末装置のユーザーに画像処理装置の使用権を譲渡する前項１〜５のいずれかに記載の画像処理システム。
（７）前記画像処理装置は前記携帯端末装置が移動しているかどうかを判定する移動判定手段を備え、前記ログインしていた携帯端末が移動していると判定された場合は、前記画像処理装置は一定の有効戻り時間を設定し、該有効戻り時間内に前記携帯端末装置が再接続されなかった場合は、ログインしていた前記携帯端末装置のログイン状態を解除し、順番待ち１番目の携帯端末装置のユーザーに画像処理装置の使用権を譲渡する前項６に記載の画像処理システム。
（８）携帯端末装置と無線通信可能な画像処理装置であって、自装置を操作するための操作画面を表示可能な表示手段と、前記操作画面を前記携帯端末装置に表示させるための操作画面表示用データを携帯端末装置に送信する送信手段と、前記操作画面表示用データに基づいて携帯端末装置にリモート画面として表示された画像処理装置の操作画面に対してユーザーが操作を行ったときの操作情報を前記携帯端末装置から受信する受信手段と、前記携帯端末装置との距離を測定する距離測定手段と、前記携帯端末装置との前記無線通信が切断されたときに、前記距離測定手段で測定された携帯端末装置との距離と、前記携帯端末装置のユーザーが画像処理装置を継続操作可能な距離として予め設定された第１の距離、及び携帯端末装置のユーザーが画像処理装置を直ちに操作可能な距離として予め設定された、前記第１の距離より小さい第２の距離とを比較する距離比較手段と、前記距離比較手段により、前記携帯端末装置との距離が前記第２の距離以下であると判定された場合は、前記携帯端末装置の表示手段に表示されていた操作画面を、前記携帯端末装置との距離が前記第２の距離を超え前記第１の距離以下であると判定された場合は、前記携帯端末装置のユーザーのみログイン可能な制限ログイン画面を、前記携帯端末装置との距離が前記第１の距離を超えると判定された場合は、全てのユーザーがログイン可能な一般ログイン画面を、それぞれ前記表示手段に表示する表示制御手段と、を備えたことを特徴とする画像処理装置。
（９）前記距離測定手段により測定された携帯端末装置との距離に比例した継続操作待ち時間を設定する設定手段を備え、前記設定手段で設定された継続操作待ち時間内に、前記携帯端末装置のユーザーによる画像処理装置の継続操作または携帯端末装置からの再接続がなされなかった場合は、前記表示制御手段は、前記表示手段に表示された操作画面または制限ログイン画面を一般ログイン画面に切り替える前項８に記載の画像処理装置。
（１０）前記距離比較手段により、前記携帯端末装置との距離が前記第２の距離以下であると判定され、前記携帯端末装置の表示手段に表示されていた操作画面が、前記表示手段に表示された状態で、前記携帯端末装置が再接続されたときは、前記送信手段は、前記表示手段に表示されていた操作画面を前記携帯端末装置に再度表示させるための操作画面表示用データを携帯端末装置に送信し、前記表示制御手段は、携帯端末装置と接続中であることを示す画面を前記表示手段に表示する前項８または９に記載の画像処理装置。
（１１）前記距離比較手段により、前記携帯端末装置との距離が前記第２の距離を超え前記第１の距離以下であると判定され、前記携帯端末装置のユーザーのみログイン可能な制限ログイン画面が前記表示手段に表示された状態で、前記携帯端末装置と再接続されたときは、前記送信手段は、前記携帯端末装置との通信切断の際に携帯端末装置に表示されていた操作画面を前記携帯端末装置に再度表示させるための操作画面表示用データを携帯端末装置に送信し、前記表示制御手段は、携帯端末装置と接続中であることを示す画面を前記表示手段に表示する前項８または９に記載の画像処理装置。
（１２）前記距離比較手段により、前記携帯端末装置との距離が前記第１の距離を超えると判定され、全てのユーザーがログイン可能な一般ログイン画面が前記表示手段に表示された状態で、前記携帯端末装置が再接続されたときは、前記送信手段は、前記携帯端末装置との通信切断の際に携帯端末装置に表示されていた操作画面を前記携帯端末装置に再度表示させるための操作画面表示用データを携帯端末装置に送信し、前記表示制御手段は、携帯端末装置と接続中であることを示す画面を前記表示手段に表示する前項８または９に記載の画像処理装置。
（１３）前記携帯端末装置と接続中に他の１個または複数個の携帯端末装置から接続要求があったときに、前記他の携帯端末装置に順番待ちをさせるとともに、前記距離比較手段により、前記携帯端末装置との距離が前記第１の距離を超えると判定された場合は、ログインしていた前記携帯端末装置のログイン状態を解除し、順番待ち１番目の携帯端末装置のユーザーに自装置の使用権を譲渡する前項８〜１２のいずれかに記載の画像処理装置。
（１４）前記携帯端末装置が移動しているかどうかを判定する移動判定手段を備え、前記ログインしていた携帯端末が移動していると判定された場合は、一定の有効戻り時間を設定し、該有効戻り時間内に前記携帯端末装置が再接続されなかった場合は、ログインしていた前記携帯端末装置のログイン状態を解除し、順番待ち１番目の携帯端末装置のユーザーに自装置の使用権を譲渡する前項１３に記載の画像処理装置。
（１５）携帯端末装置と無線通信可能な画像処理装置のコンピュータに、自装置を操作するための操作画面を表示手段に表示させる表示ステップと、前記操作画面を前記携帯端末装置に表示させるための操作画面表示用データを携帯端末装置に送信する送信ステップと、前記操作画面表示用データに基づいて携帯端末装置にリモート画面として表示された画像処理装置の操作画面に対してユーザーが操作を行ったときの操作情報を前記携帯端末装置から受信する受信ステップと、前記携帯端末装置との距離を測定する距離測定ステップと、前記携帯端末装置との前記無線通信が切断されたときに、前記距離測定ステップにおいて測定された携帯端末装置との距離と、前記携帯端末装置のユーザーが画像処理装置を継続操作可能な距離として予め設定された第１の距離、及び携帯端末装置のユーザーが画像処理装置を直ちに操作可能な距離として予め設定された、前記第１の距離より小さい第２の距離とを比較する距離比較ステップと、前記距離比較ステップにおいて、前記携帯端末装置との距離が前記第２の距離以下であると判定された場合は、前記携帯端末装置の表示手段に表示されていた操作画面を、前記携帯端末装置との距離が前記第２の距離を超え前記第１の距離以下であると判定された場合は、前記携帯端末装置のユーザーのみログイン可能な制限ログイン画面を、前記携帯端末装置との距離が前記第１の距離を超えると判定された場合は、全てのユーザーがログイン可能な一般ログイン画面を、それぞれ前記表示手段に表示する表示制御ステップと、を実行させるための携帯端末装置の接続制御プログラム。
【発明の効果】
【００１７】
前項（１）に記載の発明によれば、携帯端末装置に画像処理装置の操作画面であるリモート画面を表示して、携帯端末装置から画像処理装置を無線通信により遠隔操作しているときに携帯端末装置との無線通信が切断されると、測定された携帯端末装置との距離と、携帯端末装置のユーザーが画像処理装置を継続操作可能な距離として予め設定された第１の距離、及び携帯端末装置のユーザーが画像処理装置を直ちに操作可能な距離として予め設定された、前記第１の距離より小さい第２の距離とが比較され、携帯端末装置との距離が前記第２の距離以下であると判定された場合は、携帯端末装置に表示されていた操作画面が画像処理装置の表示手段に表示される。また、携帯端末装置との距離が前記第２の距離を超え第１の距離以下であると判定された場合は、携帯端末装置のユーザーのみログイン可能な制限ログイン画面が表示され、携帯端末装置との距離が前記第１の距離を超えると判定された場合は、全てのユーザーがログイン可能な一般ログイン画面が表示される。
【００１８】
つまり、携帯端末装置との無線通信が切断されたときの携帯端末装置との距離が小さい場合（第２の距離以下の場合）、ユーザーは早く画像処理装置に到達し、セキュリティ上も大きな問題はないことから、携帯端末装置に表示されていた操作画面を画像処理装置に表示することで、携帯端末装置のユーザーがそのまま画像処理装置を継続使用できるようにして、操作性を確保することができる。
【００１９】
また、携帯端末装置との無線通信が切断されたときの携帯端末装置との距離が大きくも小さくもない場合（第２の距離を超え第１の距離以下である場合）、携帯端末装置のユーザーのみログイン可能な制限ログイン画面が表示されるから、第三者が画像処理装置をそのまま使用できる事態を防止してセキュリティを確保しながら、携帯端末装置のユーザーの操作性を確保することができる。
【００２０】
また、携帯端末装置との無線通信が切断されたときの携帯端末装置との距離が大きい場合（第１の距離を超える場合）、携帯端末装置のユーザーが画像処理装置に到達するまで時間がかかるため、全てのユーザーがログイン可能な一般ログイン画面を表示して、画像処理装置を使用したい別のユーザーが使用を制限されるのを防止する。
【００２１】
前項（２）に記載の発明によれば、携帯端末装置との距離に応じた継続操作待ち時間内に、携帯端末装置のユーザーによる画像処理装置の継続操作または携帯端末装置からの再接続がなされなかった場合は、画像処理装置に表示された操作画面または制限ログイン画面が一般ログイン画面に切り替えられるから、操作画面が表示されたまま放置され、第三者が画像処理装置を使用できる危険性を解消することができる。
【００２２】
前項（３）に記載の発明によれば、携帯端末装置との距離が第２の距離以下である場合に携帯端末装置と画像処理装置が再接続されたときは、画像処理装置の表示手段に表示されていた操作画面がリモート画面として携帯端末装置に表示され、画像処理装置には携帯端末装置と接続中であることを示す画面が表示されるから、携帯端末装置のユーザーは再度携帯端末装置を継続して使用することができ、また第三者は携帯端末装置から画像処理装置が操作されていることを認識できる。
【００２３】
前項（４）に記載の発明によれば、携帯端末装置との距離が第２の距離を超え第１の距離以下である場合に携帯端末装置と画像処理装置が再接続されたときは、携帯端末装置との通信切断の際に携帯端末装置に表示されていた操作画面がリモート画面として携帯端末装置に表示され、画像処理装置には携帯端末装置と接続中であることを示す画面が表示されるから、携帯端末装置のユーザーは再度携帯端末装置を継続して使用することができ、また第三者は携帯端末装置から画像処理装置が操作されていることを認識できる。
【００２４】
前項（５）に記載の発明によれば、携帯端末装置との距離が第１の距離を超える場合に携帯端末装置と画像処理装置が再接続されたときは、携帯端末装置との通信切断の際に携帯端末装置に表示されていた操作画面がリモート画面として携帯端末装置に表示され、画像処理装置には携帯端末装置と接続中であることを示す画面が表示されるから、携帯端末装置のユーザーは再度携帯端末装置を継続して使用することができ、また第三者は携帯端末装置から画像処理装置が操作されていることを認識できる。
【００２５】
前項（６）に記載の発明によれば、携帯端末装置との距離が第１の距離を超えると判定された場合に、順番待ちをしている他の携帯端末装置があるときは、ログインしていた携帯端末装置のログイン状態を解除し、順番待ち１番目の携帯端末装置のユーザーに画像処理装置の使用権を譲渡するから、順番待ち１番目の携帯端末装置のユーザーは画像処理装置の使用が可能となる。
【００２６】
前項（７）に記載の発明によれば、画像処理装置により、ログインしていた携帯端末が移動していると判定されると、画像処理装置は一定の有効戻り時間を設定し、該有効戻り時間内に携帯端末装置が再接続されなかった場合は、ログインしていた携帯端末装置のログイン状態が解除され、順番待ち１番目の携帯端末装置のユーザーに画像処理装置の使用権が譲渡される。
【００２７】
前項（８）に記載の発明によれば、携帯端末装置との無線通信が切断されたときの携帯端末装置との距離が小さい場合（第２の距離以下の場合）、携帯端末装置に表示されていた操作画面を画像処理装置に表示し、携帯端末装置との距離が大きくも小さくもない場合（第２の距離を超え第１の距離以下である場合）、携帯端末装置のユーザーのみログイン可能な制限ログイン画面を表示し、携帯端末装置との距離が大きい場合（第１の距離を超える場合）、全てのユーザーがログイン可能な一般ログイン画面を表示する画像処理装置となる。
【００２８】
前項（９）に記載の発明によれば、携帯端末装置との距離に比例した継続操作待ち時間内に、携帯端末装置のユーザーによる画像処理装置の継続操作または携帯端末装置からの再接続がなされなかった場合は、表示手段に表示された操作画面または制限ログイン画面が一般ログイン画面に切り替えられるから、操作画面が表示されたまま放置され、第三者が画像処理装置を使用できる危険性を解消することができる。
【００２９】
前項（１０）に記載の発明によれば、携帯端末装置との距離が第２の距離以下である場合に携帯端末装置と再接続されたときは、画像処理装置の表示手段に表示されていた操作画面がリモート画面として携帯端末装置に表示され、画像処理装置には携帯端末装置と接続中であることを示す画面が表示されるから、携帯端末装置のユーザーは再度携帯端末装置を継続して使用することができ、また第三者は携帯端末装置から画像処理装置が操作されていることを認識できる。
【００３０】
前項（１１）に記載の発明によれば、携帯端末装置との距離が第２の距離を超え第１の距離以下である場合に携帯端末装置と再接続されたときは、携帯端末装置との通信切断の際に携帯端末装置に表示されていた操作画面がリモート画面として携帯端末装置に表示され、画像処理装置には携帯端末装置と接続中であることを示す画面が表示されるから、携帯端末装置のユーザーは再度携帯端末装置を継続して使用することができ、また第三者は携帯端末装置から画像処理装置が操作されていることを認識できる。
【００３１】
前項（１２）に記載の発明によれば、携帯端末装置との距離が第１の距離を超える場合に携帯端末装置が再接続されたときは、携帯端末装置との通信切断の際に携帯端末装置に表示されていた操作画面がリモート画面として携帯端末装置に表示され、画像処理装置には携帯端末装置と接続中であることを示す画面が表示されるから、携帯端末装置のユーザーは再度携帯端末装置を継続して使用することができ、また第三者は携帯端末装置から画像処理装置が操作されていることを認識できる。
【００３２】
前項（１３）に記載の発明によれば、携帯端末装置との距離が第１の距離を超えると判定された場合に、順番待ちをしている他の携帯端末装置があるときは、ログインしていた携帯端末装置のログイン状態を解除し、順番待ち１番目の携帯端末装置のユーザーに画像処理装置の使用権を譲渡するから、順番待ち１番目の携帯端末装置のユーザーは画像処理装置の使用が可能となる。
【００３３】
前項（１４）に記載の発明によれば、ログインしていた携帯端末が移動していると判定されると、一定の有効戻り時間を設定し、該有効戻り時間内に携帯端末装置が再接続されなかった場合は、ログインしていた携帯端末装置のログイン状態が解除され、順番待ち１番目の携帯端末装置のユーザーに画像処理装置の使用権が譲渡される。
【００３４】
前項（１５）に記載の発明によれば、携帯端末装置との無線通信が切断されたときに、測定された携帯端末装置との距離が第２の距離以下であると判定された場合は、携帯端末装置の表示手段に表示されていた操作画面を、携帯端末装置との距離が第２の距離を超え第１の距離以下であると判定された場合は、携帯端末装置のユーザーのみログイン可能な制限ログイン画面を、携帯端末装置との距離が第１の距離を超えると判定された場合は、全てのユーザーがログイン可能な一般ログイン画面を、それぞれ表示手段に表示する処理を、画像処理装置のコンピュータに実現することができる。
【図面の簡単な説明】
【００３５】
【図１】この発明の一実施形態に係る画像処理システムの構成図である。
【図２】画像処理装置の電気的な構成を示すブロック図である。
【図３】携帯端末装置の電気的な構成を示すブロック図である。
【図４】リモート操作時の画像処理装置と携帯端末装置の動作を説明するための図である。
【図５】図４で説明したリモート操作時の画像処理装置と携帯端末装置の主要動作を示すフローチャートである。
【図６】一般ログイン画面を示す図である。
【図７】画像処理装置の接続操作時に携帯端末装置の表示部に表示された接続画面を示す図である。
【図８】操作画面の一例としてのコピー設定画面を示す図である。
【図９】操作画面の他の例としてのスキャンデータの送信設定画面を示す図である。
【図１０】携帯端末装置と画像処理装置とが接続中であることを表示するリモート接続中画面を示す図である。
【図１１】順番待ち画面を示す図である。
【図１２】画像処理装置と携帯端末装置との距離に関して、予め設定された第１の距離Ｌ１と第２の距離Ｌ２についての説明図である。
【図１３】画像処理装置と携帯端末装置との無線通信が切断されたときの動作を説明するための画面遷移図である。
【図１４】画像処理装置と携帯端末装置との無線通信が切断されたときの他の動作を説明するための画面遷移図である。
【図１５】制限ログイン画面を示す図である。
【図１６】画像処理装置と携帯端末装置との無線通信が切断されたときのさらに他の動作を説明するための画面遷移図である。
【図１７】画像処理装置と携帯端末装置との無線通信が切断されたときに、順番待ちの携帯端末装置が存在する場合の動作を説明するための画面遷移図である。
【図１８】図１７において、無線通信を切断された携帯端末装置のユーザーが画像処理装置の操作を行ったときの動作を説明するための画面遷移図である。
【図１９】図１７において、無線通信を切断された携帯端末装置のユーザーが携帯端末装置から画像処理装置に再接続したときの動作を説明するための画面遷移図である。
【図２０】画像処理装置と携帯端末装置との無線通信が切断されたときに、順番待ちの携帯端末装置が存在する場合の他の動作を説明するための画面遷移図である。
【図２１】図２０において、無線通信を切断された携帯端末装置のユーザーが画像処理装置の操作を行ったときの動作を説明するための画面遷移図である。
【図２２】図２０において、無線通信を切断された携帯端末装置のユーザーが携帯端末装置から画像処理装置に再接続したときの動作を説明するための画面遷移図である。
【図２３】画像処理装置と携帯端末装置との無線通信が切断されたときに、順番待ちの携帯端末装置が存在する場合のさらに他の動作を説明するための画面遷移図である。
【図２４】図２３において、無線通信を切断された携帯端末装置のユーザーが携帯端末装置から画像処理装置に再接続したときの動作を説明するための画面遷移図である。
【図２５】携帯端末装置との切断時の画像処理装置の動作を示すフローチャートである。
【発明を実施するための形態】
【００３６】
以下、この発明の実施形態を図面に基づいて説明する。
【００３７】
図１は、この発明の一実施形態に係る画像処理システムの構成図である。
【００３８】
この画像処理システムは、複数台の画像処理装置１と複数（この実施形態では３台）の携帯端末装置２ａ、２ｂ、２ｃとパーソナルコンピュータからなる情報処理装置３等を備え、これらの画像処理装置１と携帯端末装置２ａ、２ｂ、２ｃと情報処理装置３は、ネットワーク４を介して相互に接続されている。特に、携帯端末装置２ａ、２ｂ、２ｃと画像処理装置１とは無線通信が可能となされている。
【００３９】
この実施形態では、画像処理装置１としてコピー機能、プリント機能、スキャン機能、ファクシミリ機能等を備えた前述のＭＦＰが用いられている。以下、画像処理装置をＭＦＰとも記す。また、携帯端末装置を携帯端末とも記す。また、携帯端末２ａ、２ｂ、２ｃは、これらを特に区別する必要がないときは、単に携帯端末２と記す。
【００４０】
前記ＭＦＰ１は、走査した原稿画像、および情報処理装置３から送信されたプリントデータから生成した画像の複写画像を用紙上に形成する装置である。ここで、プリントデータとは、情報処理装置３のオペレーティングシステムやアプリケーションプログラムが発行する描画命令を、プリンタドライバによってＭＦＰ１が処理可能なページ記述言語に変換したページ記述言語による描画命令、もしくは、ＰＤＦ、ＴＩＦＦ、ＪＰＥＧ、ＸＰＳ等のファイルフォーマットで記述された文書データである。
【００４１】
また、走査した原稿画像は、ネットワーク４を介して、情報処理装置３、さらにはその他のＭＦＰに送信することもできる。さらには、外部ネットワークを介して、別のネットワークに接続された他のＭＦＰや情報処理装置に原稿画像を送信することもできる。さらに、操作した原稿画像や情報処理装置３から受信した文書データを固定記憶装置に蓄積することもできる。
【００４２】
図２は、前記ＭＦＰ１の電気的な構成を示すブロック図である。
【００４３】
図２に示すように、画像形成装置１は、制御部１００、固定記憶装置１１０、画像読取装置１２０、操作パネル部１３０、画像出力装置１４０、プリンタコントローラ１５０、ネットワークインターフェイス（ネットワークＩ/Ｆ）１６０、短距離無線インターフェース（短距離無線Ｉ／Ｆ）１７０およびワイヤレスインターフェース（Wireless Ｉ／Ｆ）１８０を備え、互いにシステムバス１７５を介して接続されている。
【００４４】
制御部１００は、ＣＰＵ１０１、ＲＯＭ１０２、Ｓ−ＲＡＭ（Static Random Access Memory）１０３、ＮＶ−ＲＡＭ１０４及び時計ＩＣ１０５等を備えている。
【００４５】
ＣＰＵ１０１は、ＲＯＭ１０２等に保存されているプログラムを実行することにより、ＭＦＰ１の全体を統括的に制御する。この実施形態では、携帯端末２からＭＦＰ１を操作するモードにおいて、携帯端末１との間でデータの送受信を行ったり、携帯端末２との距離を測定し、携帯端末２との通信が切断されたとき前記測定した距離に応じた制御等を行うが、詳しくは後述する。
【００４６】
ＲＯＭ１０２は、ＣＰＵ１０１が実行するプログラムやその他のデータを格納する。
【００４７】
Ｓ−ＲＡＭ１０３は、ＣＰＵ１０１がプログラムを実行する際の作業領域となるものであり、プログラムやプログラムを実行する際のデータ等を一時的に保存する。
【００４８】
ＮＶ−ＲＡＭ１０４は、バッテリでバックアップされた不揮発メモリであり、画像形成に係わる各種の設定等を記憶するものである。
【００４９】
時計ＩＣ１０５は、内部タイマーとして機能し、処理時間の計測等を行う。
【００５０】
固定記憶装置１１０は、ハードディスク等からなり、プログラムや各種データ等を保存する。
【００５１】
画像読取装置１２０は、スキャナ等を備え、プラテンガラス上にセットされた原稿を走査することによって読み取り、読み取った原稿を画像データに変換する。
【００５２】
操作パネル部１３０は、ユーザがＭＦＰ１へジョブ等の指示や各種設定を行う際に用いられるものであり、テンキー１３１、プリントキー１３２、ログアウトキー１３３、表示部１３４及びタッチパネル１３５等を備えている。
【００５３】
テンキー１３１は、種々の設定を行う際に使用されるものであり、プリントキー１３２は、プリントを行う際に使用されるものであり、ログアウトキー１３３は、ＭＦＰ１の利用が終了したユーザが、ログアウトする際に押下されるものである。
【００５４】
表示部１３４は、例えば液晶画面からなりメッセージや各種の操作画面等を表示するものである。
【００５５】
タッチパネル１３５は、表示部１３４の画面上に形成され、ユーザーのタッチ操作を検出する。
【００５６】
画像出力装置１４０は、生成された複写画像を用紙上に形成するものである。
【００５７】
プリンタコントローラ１５０は、ネットワークインターフェース１６０によって受信されたプリントデータから複写画像を生成するものである。
【００５８】
ネットワークインターフェース（ネットワークＩ/Ｆ）１６０は、携帯端末２及び情報処理装置３等の外部装置との間で、読み取った原稿のプリントデータや、その他のデータの送受信を行う通信手段として機能する。
【００５９】
短距離無線インターフェース１７０は主に携帯端末との短距離無線通信に利用され、ワイヤレスインターフェース（Wireless Ｉ／Ｆ）１８０は、ネットワーク４との無線通信、または携帯端末２との無線通信に利用される。なお、短距離無線通信方式としては、たとえばブルートゥース（Bluetooth(登録商標)）や赤外線通信方式であるＩｒＤＡ（Infrared Data Association）などがある。
【００６０】
前記携帯端末２は、携帯型のコンピュータ装置であり、スマートフォン、タブレット端末、電子ペーパー等が用いられる。携帯端末２は電子化された文書を蓄積して持ち運び、どこでも閲覧、編集を行うことができる。
【００６１】
図３は携帯端末２の電気的構成を示すブロック図である。
【００６２】
携帯端末２は、制御部２００、固定記憶装置２１０、表示部２２０、タッチパネル２３０、ワイヤレスランインターフェース（Wireless LAN Ｉ／Ｆ）２４０および短距離無線インターフェース（短距離無線Ｉ／Ｆ）２５０を備え、互いにシステムバス２６０を介して接続されている。
【００６３】
制御部２００は、ＣＰＵ２０１、ＲＯＭ２０２、ＲＡＭ２０３等を備えている。
【００６４】
ＣＰＵ２０１は、ＲＯＭ２０２等に保存されているプログラムを実行することにより、携帯端末２の全体を統括的に制御する。この実施形態では特に、携帯端末２からＭＦＰ１を操作するモードにおいて、携帯端末１との間でのデータの送受信制御やデータの処理等を実行する。
【００６５】
ＲＯＭ２０２は、ＣＰＵ１０１が実行するプログラムやその他のデータを格納する。
【００６６】
ＲＡＭ２０３は、ＣＰＵ１０１がプログラムを実行する際の作業領域となるものであり、プログラムやプログラムを実行する際のデータ等を一時的に保存する。
【００６７】
固定記憶装置２１０は、ハードディスク等からなり、プログラムや各種データ等を保存する。
【００６８】
表示部２２０は、例えば液晶画面からなＭＦＰ１の操作画面（リモート画面）を含む各種の画面等を表示するものである。
【００６９】
タッチパネル２３０は、表示部２２０の画面上に形成され、ユーザーのタッチ操作を検出する。
【００７０】
ワイヤレスランインターフェース２４０は、ネットワーク４との無線通信に利用され、短距離無線インターフェース２５０は主にＭＦＰ１との短距離無線通信に利用される。
【００７１】
前述したように、携帯端末２はリモートモードにおいて、ＭＦＰ１を携帯端末２から無線通信により遠隔操作（リモート操作）可能となされている。
【００７２】
情報処理装置３は、図示しないＣＰＵ、ＲＡＭ、固定記憶装置（ハードディスク装置など）、モニタ、キーボード、マウス等の接続された一般的なコンピュータ装置である。情報処理装置３は、ユーザーの指示によりプリントデータを生成し、生成したプリントデータをＭＦＰ１に送信する。
【００７３】
図４は、リモート操作時のＭＦＰ１と携帯端末２の動作を説明するための図である。
【００７４】
携帯端末２のユーザーが、携帯端末２をリモートモードに設定し、ＭＦＰ１に対して無線通信により画面データの取得要求を行うと、ＭＦＰ１は表示部１３４に表示される初期操作画面の表示用データを携帯端末２に送信し、携帯端末２はこの操作画面の表示用データを受信し、そのデータに基づいて表示部２２０にＭＦＰ１を操作するための操作画面をリモート画面として表示する。
【００７５】
携帯端末２のユーザーがリモート画面において所定のボタン等をタッチ操作すると（ステップＳ０１）、携帯端末２のＣＰＵ２０１はタッチ位置の座標を検出し（ステップＳ０２）、ジェスチャ操作の種類を判定すると共に、ＭＦＰ１のタッチパネルの座標に変換する（ステップＳ０３）。そして、携帯端末４はタッチ位置の座標を含むタッチイベントをＭＦＰ１に送信する（ステップＳ０４）。
【００７６】
ＭＦＰ１は、携帯端末１から受信したタッチイベントを受信すると（ステップＳ０５）、タッチイベント処理つまりタッチ位置の座標を解析し（ステップＳ０６）、内部処理でどういう操作画面を表示するか判断し（ステップＳ０７）、画像作成処理により表示部に描画する操作画面を作成する。操作画面の作成は、画面の背景画像、複数の操作ボタン等のように画面を構成するパーツ画像に分割されて固定記憶装置１１０等に記憶されており、タッチ位置の座標に応じた操作画面が作成されるように各パーツ画像を合成する（ステップＳ０８）。
【００７７】
次に、作成した操作画面の表示用データを圧縮したのち（ステップＳ０９）、該データをネットワーク４を介して携帯端末２に送信する（ステップＳ１０）。
【００７８】
携帯端末２は操作画面表示用データを受信すると（ステップＳ１１）、受信した画像を展開し（ステップＳ１２）、表示部２２０に描画する。そして、ユーザーのタッチ操作を待つ。
【００７９】
なお、タッチ位置の座標がジョブの実行に関するボタン等の座標の場合は、ＭＦＰ１は次の操作画面を作成するのではなく、指示されたジョブを実行することになる。
【００８０】
図５は、図４で説明したリモート操作時のＭＦＰ１と携帯端末２の主要動作を示すフローチャートである。
【００８１】
ステップＳ２１で、携帯端末２で無線遠隔操作による接続を開始した後、携帯端末２から画面データの取得要求を行い、ステップＳ２２ではＭＦＰ１から送信される操作画面表示用データを携帯端末２が受信すると、ステップＳ２３で、受信した表示用データを展開し、表示部２２０に描画する。
【００８２】
ステップＳ２４では、携帯端末２がユーザーによるタッチ操作を検出したかどうかを判断し、検知すると（ステップＳ２４でＹＥＳ）、ステップＳ２５で、携帯端末２は座標変換しタッチイベントの判定処理を行う。
【００８３】
次に、ステップＳ２６で、携帯端末２がタッチイベントをＭＦＰ１に送信すると、ＭＦＰ２はステップＳ２７で、タッチイベントに応じた制御を実行した後、必要があれば次の操作画面に遷移させための画面表示用データを携帯端末２に送信する。携帯端末２は、ステップＳ２８で、その画面表示用データを受信する。
【００８４】
ステップＳ２４で、携帯端末２がタッチイベントを検出しなかった場合は（ステップＳ２４でＮＯ）、そのままステップＳ２８に進む。
【００８５】
図６は、一般ユーザーがＭＦＰ１にログインするときに、ＭＦＰ１の表示部１３４や携帯端末２の表示部２２０に表示される一般ログイン画面Ｄ１を示す。このログイン画面Ｄ１では、パスワード等の入力を促すメッセージと共に、ユーザー名入力欄、パスワード入力欄、サーバー名称入力欄が表示されており、ユーザーが各入力欄にデータを入力し、ログインボタンを押すことで認証が行われ、ＭＦＰ１にログインできるようになっている。
【００８６】
図７は、ＭＦＰ１との接続操作時に携帯端末２の表示部２２０に表示される接続画面Ｄ２を示す図である。この接続画面Ｄ２には、ＩＰアドレス入力欄２２０ａ、接続ボタン２２０ｂ、キャンセルボタン２２０ｃが表示されている。ＩＰアドレス入力欄２２０ａに接続したいＭＦＰ１のＩＰアドレスを入力し、接続ボタン２２０ｂを押すと、所定のＭＦＰ１と無線接続が開始される。
【００８７】
ＭＦＰ１との接続後は、携帯端末２のユーザー操作に応じて、例えば図８に示すようなコピー設定画面Ｄ３や、図９に示すようなスキャンデータの送信設定画面Ｄ４等が、携帯端末２の表示部２２０に表示される。
【００８８】
また、携帯端末２とＭＦＰ１との接続中は、ＭＦＰ１の表示部１３４には図１０に示すような接続中であることを示すリモート接続中画面Ｄ５が表示されている。
【００８９】
また、携帯端末２からＭＦＰ１に接続したときに、既に同一のＭＦＰ１に接続中の他の携帯端末２が存在していたときは、携帯端末２の表示部２２０に図１１に示すような順番待ち画面Ｄ６が表示される。この順番待ち画面Ｄ６には、接続人数、順番待ちの解除時に通知するかしないかの設定ボタン、順番待ちを行う時間を示す切断時間の設定欄、及びＭＦＰ１との接続時間等が表示されている。
【００９０】
次に、複数の携帯端末２とＭＦＰ１との無線接続後に、無線通信が遮断されたときの動作を説明する。
【００９１】
この実施形態では、ＭＦＰ１のＣＰＵ１は、携帯端末２との距離を測定する機能を有している。携帯端末２との距離の測定方法は特に限定されないが、例えば携帯端末２に全地球測位システム（ＧＰＳ：Global Positioning System）機能が搭載されており、該機能による携帯端末２の位置情報をＭＦＰ１が常時受信して、携帯端末２の位置とＭＦＰ自身の位置とから、携帯端末２との距離を測定する方法を挙げることができる。
【００９２】
さらに、ＭＦＰ１には、図１２に示すように、ＭＦＰ１と携帯端末２との距離に関して、距離Ｌ１と距離Ｌ２が予め設定されている。
【００９３】
距離Ｌ１は、携帯端末２のユーザーがＭＦＰ１を継続操作可能な距離として予め設定された限界距離（第１の距離）であり、距離Ｌ２は、携帯端末２のユーザーがＭＦＰ１を直ちに操作可能な距離として予め設定された、前記限界距離Ｌ２よりも小さい極小距離（第２の距離）である。ＭＦＰ１は、携帯端末２との無線通信が切断されたときの携帯端末２との距離と前記限界距離Ｌ１及び極小距離Ｌ２とを比較し、比較結果に応じた以下のような処理を実行する。
【００９４】
まず、図１３に示すように、ＭＦＰ１と接続するために、例えば携帯端末２ａのユーザーＡが携帯端末２ａの接続用アプリケーションを起動すると、携帯端末２ａの表示部２２０には接続画面Ｄ２が表示され、ＭＦＰ１の表示部１３４には図６に示す一般ログイン画面Ｄ１が表示されている。なお、図１３において、ＭＦＰ１の側方に示された画面遷移図がＭＦＰ１の表示部１３４の画面遷移図であり、携帯端末２ａの側方に示された画面遷移図が携帯端末２ａの表示部２２０の画面遷移図である。図１４以下の画面遷移図においても同様である。
【００９５】
ユーザーＡの操作に基づいて携帯端末２ａから画面取得要求がＭＦＰ１に送信されると、携帯端末２ａの表示部２２０には、ＭＦＰ１に表示されていた一般ログイン画面Ｄ１が表示され、ＭＦＰ１の画面は図１０に示すリモート接続中画面Ｄ５に切り替わる。また、ユーザーＡが携帯端末２ａからＭＦＰ１へログイン後は、ＭＦＰ１から操作に応じた操作画面表示用データが携帯端末２ａへ送信され、そのデータに基づいて携帯端末２ａにはＭＦＰ１の操作画面（例えば操作画面Ｄ３）が表示される。
【００９６】
携帯端末２ａとの無線通信が切断されると、ＭＦＰ１は切断時の携帯端末２ａとの距離を測定し、限界距離Ｌ１及び極小距離Ｌ２と比較する。限界距離Ｌ１以下かつ極小距離Ｌ２以下で携帯端末２ａとの無線接続が切断された場合、切断されたときに携帯端末２ａで表示されていた画面Ｄ３がＭＦＰ１の表示部１３４に表示され、携帯端末２ａの表示部２２０には、接続画面Ｄ２が表示される。
【００９７】
つまり、無線通信切断時の携帯端末２との距離が極小距離Ｌ２以下の場合は、携帯端末２ａとの距離が小さいから、ユーザーＡは早くＭＦＰ１に到達し、セキュリティ上も大きな問題はないことから、携帯端末２に表示されていた操作画面をＭＦＰ１に表示することで、携帯端末２ａのユーザーＡがそのままＭＦＰ１を継続使用できるようにして、操作性を確保する。
【００９８】
この場合、この実施形態では、ＭＦＰ１は無線通信切断時の携帯端末２ａとの距離に比例した継続操作待ち時間を設定し、継続操作待ち時間を超えても携帯端末２ａのユーザーＡによる操作または携帯端末２ａからの再接続がなされない場合は、ＭＦＰ１は表示部１３４の表示を、図６に示した一般ログイン画面Ｄ１に切り替える。
【００９９】
このように、携帯端末２ａのユーザーＡによるＭＦＰ１の継続操作がなされなかった場合は、ＭＦＰ１に表示された操作画面が一般ログイン画面Ｄ１に切り替えられるから、操作画面が表示されたまま放置され、第三者がＭＦＰ１を使用できる危険性を解消することができる。
【０１００】
図１４は、ＭＦＰ１と携帯端末２ａとの距離が、限界距離Ｌ１以下でかつ極小距離Ｌ２を超えている状態で、携帯端末２ａとの無線通信が切断された時の動作を説明するための図である。
【０１０１】
ＭＦＰ１と携帯端末２ａとの無線通信が切断されるまでは、図１３の場合と同様である。携帯端末２ａとの無線接続が切断されると、携帯端末２ａのユーザーＡのログイン状態を保持したまま、携帯端末２ａのユーザーＡのみログイン可能な制限ログイン画面Ｄ７がＭＦＰ１の表示部１３４に表示され、携帯端末２ａの表示部２２０には、接続画面Ｄ２が表示される。
【０１０２】
図１５に制限ログイン画面Ｄ７の詳細を示す。この制限ログイン画面Ｄ７では、現在の接続ユーザーＡのみがログインできることを示すメッセージと共に、ユーザー名入力欄、パスワード入力欄、サーバー名称入力欄が表示されており、ユーザーＡが各入力欄にデータを入力し、ログインボタンを押すことで認証が行われ、ＭＦＰ１にログインできるようになっている。この制限ログイン画面Ｄ７を用いてユーザーＡ以外のユーザーがログインを行っても、認証失敗となり、ログインすることはできない。
【０１０３】
また、ＭＦＰ１は無線通信切断時の携帯端末２ａとの距離に比例した継続操作待ち時間を設定し、継続操作待ち時間を超えても携帯端末２ａのユーザーＡによるログインがなされない場合は、ＭＦＰ１の表示部１３４の表示を、図６に示した一般ログイン画面Ｄ１に切り替える。
【０１０４】
このように、携帯端末２との無線通信が切断されたときの携帯端末２との距離が大きくも小さくもない場合（極小距離を超え限界距離以下である場合）、携帯端末２のユーザーＡのみログイン可能な制限ログイン画面Ｄ７がＭＦＰ１の表示部１３４に表示されるから、第三者がそのままＭＦＰ１を使用できる事態を防止してセキュリティを確保しながら、携帯端末２のユーザーＡの操作性を確保することができる。
【０１０５】
図１６は、ＭＦＰ１と携帯端末２ａとの距離が、限界距離Ｌ１を超えている状態で、携帯端末２ａとの無線通信が切断された時の動作を説明するための図である。
【０１０６】
ＭＦＰ１と携帯端末２ａとの無線通信が切断されるまでは、図１３の場合と同様である。携帯端末２ａとの無線接続が切断されると、一般ログイン画面Ｄ１がＭＦＰ１の表示部１３４に表示され、携帯端末２ａの表示部２２０には、接続画面Ｄ２が表示される。
【０１０７】
このように、携帯端末２との無線通信が切断されたときの携帯端末２との距離が大きい場合（限界距離を超える場合）、携帯端末２のユーザーＡがＭＦＰ１に到達するまで時間がかかるため、全てのユーザーがログイン可能な一般ログイン画面Ｄ１を表示して、ＭＦＰ１を使用したい別のユーザーが使用を制限されるのを防止する。
【０１０８】
なお、図１３、図１４及び図１６に示したような、無線通信切断後にＭＦＰ１の表示部１３４に一般ログイン画面Ｄ１が表示された状態において、ＭＦＰ１に携帯端末２ａのユーザーＡのログイン情報を保持させておき、一般ログイン画面Ｄ１から当該ユーザーがログインした場合は、切断される前に携帯端末２ａで表示されていた画面をＭＦＰ１の表示部１３４に表示する構成としても良い。これにより、携帯端末２ａのユーザーＡはＭＦＰ１を継続操作できる。一方、当該ユーザーＡ以外のユーザーがログインした場合は、前記内部的なログイン情報を破棄し、設定をリセットした上でログインさせる。
【０１０９】
次に、携帯端末２ａとＭＦＰ１との無線通信が切断されたときに、他の携帯端末２ｂがＭＦ１と無線接続されて順番待ちとなっているときの動作を説明する。
【０１１０】
図１７は、ＭＦＰ１と携帯端末２ａとの距離が、限界距離Ｌ１以下かつ極小距離Ｌ２以下である状態で、携帯端末２ａとの無線通信が切断された時の動作を説明するための図である。
【０１１１】
ＭＦＰ１と接続するために、携帯端末２ａのユーザーＡが携帯端末２ａの接続用アプリケーションを起動すると、携帯端末２ａの表示部２２０には接続画面Ｄ２が表示され、ＭＦＰ１の表示部１３４には図６に示す一般ログイン画面Ｄ１が表示されている。
【０１１２】
ユーザーＡの操作に基づいて携帯端末２ａから画面取得要求がＭＦＰ１に送信されると、携帯端末２ａの表示部２２０には、ＭＦＰ１に表示されていた一般ログイン画面Ｄ１が表示され、ＭＦＰ１の画面は図１０に示すリモート接続中画面Ｄ５に切り替わる。
【０１１３】
この状態で、携帯端末２ｂのユーザーＢが接続画面Ｄ２を介してＭＦＰ１に接続要求を行うと、ＭＦＰ１は携帯端末２ａと接続中であるため、携帯端末２ｂの表示部２２０には、図１１に示す順番待ち画面Ｄ６が表示される。
【０１１４】
一方、ユーザーＡが携帯端末２ａからＭＦＰ１へログイン後は、ＭＦＰ１から操作に応じた操作画面表示用データが携帯端末２ａへ送信され、そのデータに基づいて携帯端末２ａにはＭＦＰ１の操作画面（例えば操作画面Ｄ３）が表示される。
【０１１５】
携帯端末２ａとの無線通信が切断されると、ＭＦＰ１は切断時の携帯端末２ａとの距離を測定し、限界距離Ｌ１及び極小距離Ｌ２と比較する。限界距離Ｌ１以下かつ極小距離Ｌ２以下で携帯端末２ａとの無線接続が切断された場合、切断されたときに携帯端末２ａで表示されていた画面Ｄ３がＭＦＰ１の表示部１３４に表示され、携帯端末２ａの表示部２２０には、接続画面Ｄ２が表示される。携帯端末２ａのユーザーＡのログイン状態は保持される。
【０１１６】
この実施形態では、ＭＦＰ１は無線通信切断時の携帯端末２ａとの距離に比例した継続操作待ち時間を設定し、継続操作待ち時間を超えても携帯端末２ａのユーザーＡによる操作または携帯端末２ａによる再接続がなされない場合は、ＭＦＰ１は、ユーザーＡのログイン状態を解除して設定をリセットした上で、ＭＦＰ１に対する使用権を順番待ちをしている他の携帯端末２ｂに譲渡する。ＭＦＰ１の表示部１３４の表示はリモート接続中画面Ｄ５に切り替わる。
【０１１７】
これにより、使用権を譲渡された携帯端末２ｂの表示部２２０には、一般ログイン画面Ｄ１が表示され、ユーザーＢがログインするとユーザーＢの操作に応じて、ＭＦＰ１の操作画面（例えば画面Ｄ４）が表示される。以後は、携帯端末２ａについての動作と同じ動作が携帯端末２ｂについても行われる。
【０１１８】
携帯端末２ａとＭＦＰ１との無線通信の切断後の接続操作待ち時間内に、操作画面Ｄ３が表示されているＭＦＰ１の操作パネルからユーザーＡが操作を行った場合は、図１８に示すように、そのままＭＦＰ１からの継続使用が可能となる。この場合、携帯端末２ｂの表示部２２０には、順番待ち画面Ｄ６が継続して表示される。
【０１１９】
また、携帯端末２ａとＭＦＰ１との無線通信の切断後の接続操作待ち時間内に、携帯端末２ａからユーザーＡがＭＦＰ１に再接続を行った場合は、図１９に示すように、携帯端末２ａの表示部２２０には、切断されたときに携帯端末２ａで表示されていた画面Ｄ３が再度表示され、ＭＦＰ１の表示部１３４の表示はリモート接続中画面Ｄ５に切り替わる。また、携帯端末２ｂの表示部２２０には、順番待ち画面Ｄ６が継続して表示される。
【０１２０】
図２０は、ＭＦＰ１と携帯端末２ａとの距離が、限界距離Ｌ１以下でかつ極小距離Ｌ２を超えている状態で、携帯端末２ａとの無線通信が切断された時に順番待ちの他の携帯端末２ｂが存在しているときの動作を説明するための図である。
【０１２１】
ＭＦＰ１と携帯端末２ａとの無線通信が切断されるまでは、図１７の場合と同様である。携帯端末２ａとの無線接続が切断されると、携帯端末２ａのユーザーＡのログイン状態を保持したまま、ユーザーＡのみログイン可能な制限ログイン画面Ｄ７がＭＦＰ１の表示部１３４に表示され、携帯端末２ａの表示部２２０には、接続画面Ｄ２が表示される。
【０１２２】
また、ＭＦＰ１は無線通信切断時の携帯端末２ａとの距離に比例した継続操作待ち時間を設定し、継続操作待ち時間を超えても携帯端末２ａのユーザーＡによるログインがなされない場合は、ＭＦＰ１は、ユーザーＡのログイン状態を解除して設定をリセットした上で、ＭＦＰ１に対する使用権を順番待ちをしている他の携帯端末２ｂに譲渡する。また、ＭＦＰ１の表示部１３４の表示はリモート接続中画面Ｄ５に切り替わる。
【０１２３】
これにより、使用権を譲渡された携帯端末２ｂの表示部２２０には、一般ログイン画面Ｄ１が表示され、ユーザーＢがログインするとユーザーＢの操作に応じて、ＭＦＰ１の操作画面（例えば画面Ｄ４）が表示される。以後は、携帯端末２ａについての動作と同じ動作が携帯端末２ｂについても行われる。
【０１２４】
携帯端末２ａとＭＦＰ１との無線通信の切断後の接続操作待ち時間内に、操作画面Ｄ３が表示されているＭＦＰ１の制限ログイン画面Ｄ７からユーザーＡがＭＦＰ１にログインした場合は、図２１に示すように、ＭＦＰ１の表示部１３４には、切断されたときに携帯端末２ａで表示されていた画面Ｄ３が再度表示され、継続使用が可能となる。この場合、携帯端末２ｂの表示部２２０には、順番待ち画面Ｄ６が継続して表示される。
【０１２５】
また、携帯端末２ａとＭＦＰ１との無線通信の切断後の接続操作待ち時間内に、携帯端末２ａからユーザーＡがＭＦＰ１に再接続を行った場合は、図２２に示すように、携帯端末２ａの表示部２２０には、切断されたときに携帯端末２ａで表示されていた画面Ｄ３が再度表示され、ＭＦＰ１の表示部１３４の表示はリモート接続中画面Ｄ５に切り替わる。
【０１２６】
図２３は、ＭＦＰ１と携帯端末２ａとの距離が、限界距離Ｌ１を超えている状態で、携帯端末２ａとの無線通信が切断された時に、順番待ちの他の携帯端末２ｂが存在しているときの動作を説明するための図である。
【０１２７】
ＭＦＰ１と携帯端末２ａとの無線通信が切断されるまでは、図１７の場合と同様である。携帯端末２ａとの無線接続が切断されると、ＭＦＰ１の表示部１３４には継続してリモート接続中画面Ｄ５が表示され、携帯端末２ａの表示部２２０には、接続画面Ｄ２が表示される。
【０１２８】
また、無線通信切断時に携帯端末２ａが移動していた場合は、有効戻り時間を設定し、有効戻り時間を超えても携帯端末２ａのユーザーＡが携帯端末２ａからＭＦＰ１に再接続しない場合は、ＭＦＰ１は、ユーザーＡのログイン状態を解除して設定をリセットした上で、ＭＦＰ１に対する使用権を順番待ちをしている他の携帯端末２ｂに譲渡する。有効戻り時間を設定するのは、限界距離Ｌ１を超えていても携帯端末２ａのユーザーＡが移動している場合は、携帯端末２ａのユーザーＡが無線通信範囲外に出たことに気づいて無線通信の有効範囲内に戻るために移動していることが考えられることから、ユーザーＡにＭＦＰ１を継続使用を許可するためである。なお、無線通信切断時に携帯端末２ａが移動していなかった場合は、ＭＦＰ１は有効戻り時間を設定することなく、直ちに使用権を他の携帯端末２ｂに譲渡する。
【０１２９】
これにより、使用権を譲渡された携帯端末２ｂの表示部２２０には、一般ログイン画面Ｄ１が表示され、ユーザーＢがログインした後はユーザーＢの操作に応じて、ＭＦＰ１の操作画面（例えば画面Ｄ４）が表示される。以後は、携帯端末２ａについての動作と同じ動作が携帯端末２ｂについても行われる。
【０１３０】
携帯端末２ａとＭＦＰ１との無線通信の切断後の接続操作待ち時間内に、携帯端末２ａからユーザーＡがＭＦＰ１に再接続した場合は、図２４に示すように、携帯端末２ａの表示部２２０には、通信切断時に携帯端末２ａに表示されていた操作画面Ｄ３が表示され、ＭＦＰ１の継続使用が可能となる。この場合、携帯端末２ｂの表示部２２０には、順番待ち画面Ｄ６が継続して表示される。また、ＭＦＰ１の表示部１３４にはリモート接続中画面Ｄ５が継続して表示される。
【０１３１】
また、図１７〜図２４の実施形態において、順番待ちの携帯端末２ｂ以外にさらに順番待ちの他の携帯端末２ｃが存在する場合に、携帯端末２ｂとＭＦＰ１との無線通信が切断されたときの動作は、携帯端末２ａとＭＦＰ１との無線通信が切断されたときの動作と同様である。
【０１３２】
図２５は、携帯端末２ａとの切断時のＭＦＰ１の動作を示すフローチャートである。この動作は、ＭＦＰ１のＣＰＵ１０１がＲＯＭ１０２等の記録媒体に記録された動作プログラムに従って動作することにより実行される。
【０１３３】
携帯端末２ａとの無線通信が切断されると、ステップＳ３１で携帯端末２ａとの距離を測定し、ステップＳ３２で待ち時間カウンタをゼロにリセットする。
【０１３４】
ステップＳ３３では、携帯端末２ａとの距離が限界距離Ｌ１内かどうかを調べ、限界距離Ｌ１内であれば（ステップＳ３３でＹＥＳ）、ステップＳ３４で、極小距離Ｌ２内かどうかを調べる。極小距離Ｌ２内であれば（ステップＳ３４でＹＥＳ）、ステップＳ３４１で、切断時に携帯端末２ａの表示部２２０に表示されていた操作画面を表示部１３４に表示したのち、ステップＳ３５に進む。極小距離Ｌ２内でなければ（ステップＳ３４でＮＯ）、ステップＳ３６で、制限ログイン画面Ｄ７を表示部１３４に表示した後、ステップＳ３５に進む。
【０１３５】
ステップＳ３５では、距離に比例した時間を継続操作待ち時間に設定したのち、ステップＳ４１に進む。
【０１３６】
ステップＳ３３で限界距離Ｌ２内でなければ（ステップＳ３３でＮＯ）、ステップＳ３７で、順番待ちユーザー（順番待ちの他の携帯端末２ｂ）が存在しているかどうかを判断する。存在していなければ（ステップＳ３７でＮＯ）、ステップＳ３８で表示部１３４に一般ログイン画面Ｄ１を表示したのち、ステップＳ４１に進む。順番待ちユーザーが存在していれば（ステップＳ３７でＹＥＳ）、ステップＳ３９で、携帯端末２ａが移動していたかどうかを判断する。移動していなければ（ステップＳ３９でＮＯ）、ステップＳ４１に進む。移動していた場合（ステップＳ３９でＹＥＳ）、ステップＳ４０で、有効戻り時間を継続待ち時間に設定したのち、ステップＳ４１に進む。
【０１３７】
ステップＳ４１では、第１の携帯端末２ａのユーザーＡにより自装置が継続操作（ログイン操作を含む）されたかどうかを判断する。継続操作された場合（ステップＳ４１でＹＥＳ）、ステップＳ４９で、表示部１３４に表示されていた制限ログイン画面Ｄ７または一般ログイン画面Ｄ１を解除して、切断時の操作画面を表示した後、処理を終了する。なお、携帯端末２ａとの距離がＬ２以下の場合は、既に操作画面が表示されているから、ステップＳ４１で継続操作された場合、ステップＳ４９のステップは省略される。
【０１３８】
ステップＳ４１で継続操作されなかった場合（ステップＳ４１でＮＯ）、ステップＳ４２で、第１の携帯端末２ａから再接続されたかどうかを判断する。再接続されなかった場合（ステップＳ４２でＮＯ）、ステップＳ４３で、待ち時間が継続操作待ち時間を超えたかどうかを判断する。超えていなければ（ステップＳ４３でＮＯ）、ステップＳ４４で、待ち時間をカウントし、ステップＳ４１に戻る。
【０１３９】
継続操作待ち時間以内に、第１の携帯端末２ａから再接続された場合（ステップＳ４２でＹＥＳ）、ステップＳ５０で、表示部１３４に表示されていた制限ログイン画面Ｄ７または一般ログイン画面Ｄ１を解除した後、ステップＳ５１で、リモート接続中画面Ｄ５を表示し、処理を終了する。
【０１４０】
ステップＳ４３で、待ち時間が継続待ち時間を超えた場合は（ステップＳ４３でＹＥＳ）、ステップＳ４５で、順番待ちユーザー（順番待ちの他の携帯端末２ｂ）が存在しているかどうかを判断する。存在していなければ（ステップＳ４５でＮＯ）、ステップＳ４６で、表示部１３４に一般ログイン画面Ｄ１を表示した後、処理を終了する。
【０１４１】
ステップＳ４５で、順番待ちユーザーが存在していれば（ステップＳ４５でＹＥＳ）、ステップＳ４７で、第１の携帯端末２ａのユーザーＡについてログアウト及びリセット処理を行い、次いでステップＳ４８で、第２の携帯端末２ｂに使用権を譲渡した後、ステップＳ５１に進む。
【符号の説明】
【０１４２】
１        画像処理装置
２        携帯端末装置
１０１    ＣＰＵ
１０２    ＲＯＭ
１３４    表示部
１３５    タッチパネル
２０１    ＣＰＵ
２０２    ＲＯＭ
２２０    表示部
【図１】
2015060410.tif 000003
【図２】
2015060410.tif 000004
【図３】
2015060410.tif 000005
【図４】
2015060410.tif 000006
【図５】
2015060410.tif 000007
【図６】
2015060410.tif 000008
【図７】
2015060410.tif 000009
【図８】
2015060410.tif 000010
【図９】
2015060410.tif 000011
【図１０】
2015060410.tif 000012
【図１１】
2015060410.tif 000013
【図１２】
2015060410.tif 000014
【図１３】
2015060410.tif 000015
【図１４】
2015060410.tif 000016
【図１５】
2015060410.tif 000017
【図１６】
2015060410.tif 000018
【図１７】
2015060410.tif 000019
【図１８】
2015060410.tif 000020
【図１９】
2015060410.tif 000021
【図２０】
2015060410.tif 000022
【図２１】
2015060410.tif 000023
【図２２】
2015060410.tif 000024
【図２３】
2015060410.tif 000025
【図２４】
2015060410.tif 000026
【図２５】
2015060410.tif 000027